(57)【要約】【課題】クレーンのフックにより吊り下げられる主ビームと、該主ビームの両側に主ビームと直交して支持され、主ビームに沿って開閉する副ビームと、該副ビームの両側に支持され、副ビームに沿って開閉するフック状のアームとよりなり、該アームを閉じることにより圧延ロールを掴んで吊り上げるロール吊具において、ロールの吊り上げが掴み吊りでもピン吊りでも行えるようにする。【解決手段】アーム３に段付軸状のチョック掴みピン１１を押し動かしてピン先端部１１ａがアーム３より突出してロールチョックのピン差込孔に差込まれるピン吊り位置とアーム３より引込められてロールを掴み吊りする位置とに切換えられるようにする。【選択図】図５
2010195497.tif 000002
【特許請求の範囲】
【請求項１】
クレーンのフックにより吊り下げられる主ビームと、該主ビームの両側に主ビームと直交して支持され、主ビームに沿って開閉する副ビームと、該副ビームの両側に支持され、副ビームに沿って開閉するフック状のアームとよりなり、該アームを閉じることにより圧延ロールを掴んで吊り上げるロール吊具において、前記各アームにはそれぞれ、ロールチョックのピン嵌合孔に抜差し可能に差し込まれるピンがアームより水平方向に進退可能に取付けられることを特徴とするロール吊具。
【請求項２】
前記ピンには、ピンの重心位置に径方向に出没可能なボールプランジャーと、該ボールプランジャーを径方向にピンより押出すように付勢するバネが設けられることを特徴とする請求項１記載のロール吊具。
【発明の詳細な説明】
【技術分野】
【０００１】
本発明は圧延ロールのロール吊具に関する。
【背景技術】
【０００２】
この種のロール吊具として、図１及び図２に示すように、クレーンのフックにより吊り下げられる主ビーム１と、該主ビーム１の両側に主ビーム１と直交して支持され、図示しないモータにより回転駆動されるスクリューシャフトを介して図１の矢印方向に開閉する副ビーム２と、各副ビーム２の両側にそれぞれ支持され、図示しないモータにより回転駆動されるスクリューシャフトを介して図２の矢印方向に開閉するフック状のアーム３とよりなり、該アーム３を閉じて圧延ロール４を掴んで吊上げる掴み吊りタイプのもの、図３に示すようにクレーンのフックにより吊り下げられる主ビーム６と、該主ビーム６の両側に主ビーム６と直交して支持され、主ビーム６に沿い、図３の紙面と直交する方向に開閉する副ビーム７と、各副ビーム７の両側にそれぞれ支持され、図示しないモータよりスクリューシャフトを介して図３の矢印方向に開閉するアーム８とよりなり、アーム端にはピン９が向き合って突設され、ロール吊時にはアーム８を閉じ、各ピン９を図示しないロールチョックの両側に形成されるピン嵌合孔にそれぞれ差込んで吊上げるピン吊りタイプのものが知られ、前者の掴み吊りタイプのものは、圧延ロールのうち、主として比較的小径で軽量のワークロールを吊上げるのに用いられ、後者のピン吊りタイプのものは比較的大径で重量のあるバックアップロールを吊上げるのに用いられている。
【発明の概要】
【発明が解決しようとする課題】
【０００３】
本発明は、圧延ロールの吊り上げが同じロール吊具を用いて掴み吊りでも、ピン吊りでもできるようにすることを目的とする。
【課題を解決するための手段】
【０００４】
請求項１に係わる発明は、クレーンのフックにより吊り下げられる主ビームと、該主ビームの両側に主ビームと直交して支持され、主ビームに沿って開閉する副ビームと、該副ビームの両側に支持され、副ビームに沿って開閉するフック状のアームとよりなり、該アームを閉じることにより圧延ロールを掴んで吊り上げるロール吊具において、前記各アームにはそれぞれ、ロールチョックのピン嵌合孔に抜差し可能に差し込まれるピンがアームより水平方向に進退可能に取付けられることを特徴とする。
【０００５】
請求項２に係わる発明は、請求項１に係わる発明の前記ピンには、適所、好ましくはピンの重心位置に径方向に出没可能なボールプランジャーと、該ボールプランジャーを径方向にピンより押出すように付勢するバネが設けられることを特徴とする。
【発明の効果】
【０００６】
請求項１に係わる発明のロール吊具によると、ロールを吊り上げる際、ロールを掴み吊りするときにはピンを後退させて引込めたのち、アームを閉じてロールを掴む一方、ピン吊りするときには、ピンをアームより前進して突出させ、アームを閉じてピンをロールチョックのピン嵌合孔に差込む。
【０００７】
請求項２に係わる発明のロール吊具によると、ピンの移動がボールプランジャーの転動によってスムースに行われ、ピンの進退が人力によっても容易に行うことができる。
【図面の簡単な説明】
【０００８】
【図１】掴み吊り用ロール吊具の正面図。
【図２】同側面図。
【図３】ピン吊り用ロール吊具の側面図。
【図４】本発明に係わる掴み吊り用ロール吊具の側面図。
【図５】同吊具の要部を拡大した部分断面図。
【図６】図５に示すピンの側面図。
【図７】図５のＡ−Ａ線断面図。
【図８】図７の変形態様を示す図。
【図９】図５のＢ−Ｂ線断面図。
【図１０】同Ｃ−Ｃ線断面図。
【発明を実施するための形態】
【０００９】
以下、本発明の実施形態のロール吊具について図面により説明する。図中、図２に示す吊具と同一構造部分には同一符号を付して説明を省略する。
【００１０】
図４に示すロール吊具は、図２に示すロール吊具において、フック状のアーム３の各端部にそれぞれチョック掴みピン１１を副ビーム２と平行な方向に進退できるように取り付けたもので、チョック掴みピン１１は図５の拡大図に示すように、段付軸状で、小径で偏心した先端部１１ａが図示しないロールチョックのピン嵌合孔に差込まれるようになっている。そして図６に示されるように先端部１１ａの上端ａがピン１１の上端と一致して形成されている。チョック掴みピン１１は、上述するようにピン先端部１１ａがロールチョックのピン嵌合孔に差込まれるが、チョック掴みピン１１との間の段が先端部差込み時の位置決め機能を果すようになっている。
【００１１】
チョック掴みピン１１にはまた、図５及び図９に示されるように、左右両側面の対称位置にピン長手方向に一定長さ、セグメント状に切除した平坦面１２が形成され、該平坦面１２の両端にはトグルピン１５が差込まれる貫通孔１３ａ、１３ｂが形成されている。
トグルピン１５は、一端に短ピン１５ａが軸着されて屈折可能に連結され、他端にはアイボルト１５ｂが取り付けられている。
【００１２】
前記チョック掴みピン１１はまた、先端部１１ａと反対側の端面に円板１４を介して取手１６を固着していると共に、図８に示すようにチョック掴みピン１１の直径方向に盲孔１９が形成され、該盲孔内にコイルバネ２０とボールプランジャー２１が装着され、ボールプランジャー２１がコイルバネ２０により径方向にチョック掴みピン１１より突出する方向に付勢され、ブッシュ１８内を転動してチョック掴みピン１１の移動がスムースに行えるようにしてある。
【００１３】
チョック掴みピン１１の移動がスムースに行えるようにするための別の例では、チョック掴みピン１１、好ましくは該ピン１１の中間部の重心位置に図７に示されるようにニードルベアリング１７が軸支され、アーム３に装着のブッシュ１８内をスムースに転動できるようにされる。
【００１４】
アーム１１にはまた、図１０に示すように、チョック掴みピン１１の前記左右の平坦面１２に当てがわれるセグメント２３がブッシュ１６にあけられた直径方向の左右の孔２４にそれぞれ左右対称形をなして装着されて固定され、これによりチョック掴みピン１１は平坦面端がセグメント２３に当たるまでの範囲内においてピン長手方向に移動できるようになっている。
左右のセグメント２３にはチョック掴みピン１１の前記貫通孔１３と同一径をなし、トグルピン１５が通される透孔２５が形成されている。
【００１５】
本実施形態のロール吊具は以上のように構成され、ロールを掴み吊りするときには、取手１６を掴んでチョック掴みピン１１を図５及び図９に示す平坦面１２の左端がセグメント２３に突き当たる限度まで引込める（平坦面１２の左端がセグメント２３に突き当たった状態でチョック掴みピン１１の図の左側の貫通穴１３ｂとセグメント２３の透孔２５が合致する）。次に短ピン１５ａを伸ばした状態でトグルピン１５を透孔２５と貫通孔１３に短ピン１５ａを先頭にして差込む。これによりチョック掴みピン１１は先端部１１ａがロールに当たらない位置に留まって固定される。差込後は短ピン１５ａを折り曲げ、抜け止めとする（図１０）。
【００１６】
ロールをピン吊りするときには、アイボルト１５ｂを掴んで引っ張り、トグルピン１５を透孔２５と貫通孔１３より一旦抜き取る。その後、アーム内に引込められたチョック掴みピン１１の取手１６を掴んでチョック掴みピン１１を円板１４がセグメント２３に突き当たるまで押し込む。円板１４がセグメント２３に突き当たると、チョック掴みピン１１の貫通孔１３ａとセグメント２３の透孔２５が合致する。貫通孔１３ａと透孔２５を合致させたのちトグルピン１５を透孔２５と貫通孔１３に差込み抜け止めする（図９）。この状態でアーム１１を閉じると、チョック掴みピン１１は先端部１１ａが図示しないロールチョックのピン嵌合孔に嵌合される。
【符号の説明】
【００１７】
１・・主ビーム
２・・副ビーム
３・・フック状のアーム
１１・・チョック掴みピン
１２・・セグメント状に切除された平坦面
１３・・貫通孔
１４・・円板
１５・・トグルピン
１６・・取手
１７・・ニードルベアリング
１８・・ブッシュ
１９・・盲孔
２０・・コイルバネ
２１・・ボールプランジャー
２３・・セグメント
２４・・孔
２５・・透孔
【図１】
2010195497.tif 000003
【図２】
2010195497.tif 000004
【図３】
2010195497.tif 000005
【図４】
2010195497.tif 000006
【図５】
2010195497.tif 000007
【図６】
2010195497.tif 000008
【図７】
2010195497.tif 000009
【図８】
2010195497.tif 000010
【図９】
2010195497.tif 000011
【図１０】
2010195497.tif 000012